(57)【要約】【課題】記憶容量を拡張できると共に、システム空間を占有しないソリッドステートディスク拡張装置を提供する。【解決手段】第一拡張ボード及び第二拡張ボードを備える。第一拡張ボードは、第一ボード本体を備え、第一ボード本体には、マザーボードに接続される第一コネクタと、第一コネクタに接続される電源回路と、第一コネクタに接続されるＳＡＴＡ拡張コントローラと、ＳＡＴＡ拡張コントローラに接続される複数の第一制御チップと、複数の第一制御チップに接続される複数の第一記憶チップと、ＳＡＴＡ拡張コントローラに接続される第二コネクタと、が設けられる。第二拡張ボードは、第二ボード本体を備え、第二ボード本体には、第二コネクタに接続される第三コネクタと、第三コネクタに接続される複数の第二制御チップと、複数の第二制御チップに接続される複数の第二記憶チップとが設けられる。【選択図】図１
2014127206.tif 000002
【特許請求の範囲】
【請求項１】
第一拡張ボード及び第二拡張ボードを備えるソリッドステートディスク拡張装置であって、
前記第一拡張ボードは第一ボード本体を備え、前記第一ボード本体には、マザーボードに接続される第一コネクタと、前記第一コネクタに接続される電源回路と、前記第一コネクタに接続されるＳＡＴＡ拡張コントローラと、前記ＳＡＴＡ拡張コントローラに接続される複数の第一制御チップと、前記複数の第一制御チップに接続される複数の第一記憶チップと、前記ＳＡＴＡ拡張コントローラに接続される第二コネクタと、が設けられ、
前記第二拡張ボードは第二ボード本体を備え、前記第二ボード本体には、前記第二コネクタに接続される第三コネクタと、前記第三コネクタに接続される複数の第二制御チップと、前記複数の第二制御チップに接続される複数の第二記憶チップと、が設けられ、
前記第一コネクタは、前記マザーボードから供給された電圧を前記電源回路に伝送し、且つ前記マザーボードから受信したＳＡＴＡ信号を前記ＳＡＴＡ拡張コントローラに伝送し、前記電源回路は、受信した電圧を変換した後、該電圧を前記複数の第一制御チップ及び前記複数の第一記憶チップに提供し、且つ前記第二コネクタ及び前記第三コネクタを介して前記複数の第二制御チップ及び前記複数の第二記憶チップに供給し、前記ＳＡＴＡ拡張コントローラは、受信したＳＡＴＡ信号を複数のＳＡＴＡ信号に拡張した後、当該複数のＳＡＴＡ信号を前記複数の第一制御チップに提供して、前記第一制御チップにより前記第一記憶チップを制御してデータを記憶させると共に、前記第二コネクタ及び前記第三コネクタを介して前記複数の第二制御チップにも前記ＳＡＴＡ信号を提供して、前記第二制御チップにより前記第二記憶チップを制御してデータを記憶させることを特徴とするソリッドステートディスク拡張装置。
【発明の詳細な説明】
【技術分野】
【０００１】
本発明は、ソリッドステートディスク（Ｓｏｌｉｄ  Ｓｔａｔｅ  Ｄｉｓｋ）の拡張装置に関するものである。
【背景技術】
【０００２】
現在、記憶容量を拡張するために、ブレードサーバー（ｂｌａｄｅ  ｓｅｒｖｅｒ）において、ソリッドステートディスクが幅広く用いられている。しかし、各ソリッドステートディスクに設けられた記憶チップの数量及び記憶容量は有限である。また、各ソリッドステートディスクをマザーボード上のＳＡＴＡコネクタと接続し、ＳＡＴＡ信号を受信することで前記マザーボードと通信することを確保するために、各ソリッドステートディスクを電源及びＳＡＴＡコネクタに接続しなければならない。このような設計は、システムの空間を占有し、且つシステムの資源を多数使用することになる。
【発明の概要】
【発明が解決しようとする課題】
【０００３】
以上の問題点に鑑みて、記憶容量を拡張できると共に、システム空間を占有しないソリッドステートディスク拡張装置を提供することを目的とする。
【課題を解決するための手段】
【０００４】
上記の目的を達成するために、本発明に係るソリッドステートディスク拡張装置は、第一拡張ボード及び第二拡張ボードを備える。前記第一拡張ボードは、第一ボード本体を備え、前記第一ボード本体には、マザーボードに接続される第一コネクタと、前記第一コネクタに接続される電源回路と、前記第一コネクタに接続されるＳＡＴＡ拡張コントローラと、前記ＳＡＴＡ拡張コントローラに接続される複数の第一制御チップと、前記複数の第一制御チップに接続される複数の第一記憶チップと、前記ＳＡＴＡ拡張コントローラに接続される第二コネクタと、が設けられる。前記第二拡張ボードは、第二ボード本体を備え、前記第二ボード本体には、前記第二コネクタに接続される第三コネクタと、前記第三コネクタに接続される複数の第二制御チップと、前記複数の第二制御チップに接続される複数の第二記憶チップと、が設けられる。前記第一コネクタは、前記マザーボードから受信した電圧を前記電源回路に伝送し、且つ前記マザーボードから受信したＳＡＴＡ信号を前記ＳＡＴＡ拡張コントローラに伝送し、前記電源回路は、受信した電圧を変換した後に前記複数の第一制御チップ及び前記複数の第一記憶チップに提供し、且つ前記第二コネクタ及び前記第三コネクタを介して前記複数の第二制御チップ及び前記複数の第二記憶チップに電圧を供給し、前記ＳＡＴＡ拡張コントローラは、受信したＳＡＴＡ信号を複数のＳＡＴＡ信号に拡張した後、当該複数のＳＡＴＡ信号を前記複数の第一制御チップに提供して、前記第一制御チップにより前記第一記憶チップを制御してデータを記憶させると共に、前記第二コネクタ及び前記第三コネクタを介して前記複数の第二制御チップにも前記ＳＡＴＡ信号を提供して、前記第二制御チップにより前記第二記憶チップを制御してデータを記憶させる。
【発明の効果】
【０００５】
本発明のソリッドステートディスク拡張装置は、第一コネクタを介してマザーボードから電圧及びＳＡＴＡ信号を受信し、且つＳＡＴＡ拡張コントローラを利用して、前記マザーボードから受信したＳＡＴＡ信号を複数のＳＡＴＡ信号に拡張した後、それを複数の第一制御チップ及び複数の第二制御チップに提供して、これらの制御チップによって対応する第一記憶チップ、第二記憶チップを制御してデータを記憶させることにより、記憶容量を拡張する。従って、本発明のソリッドステートディスク拡張装置は、記憶容量を拡張する時に、多くの電源ポート及びＳＡＴＡコネクタを使用することがないので、ブレードサーバーのシステム空間を占有せず、且つシステムの資源を節約することができる。
【図面の簡単な説明】
【０００６】
【図１】本発明の実施形態に係るソリッドステートディスク拡張装置の回路図である。
【発明を実施するための形態】
【０００７】
図１に示すように、本発明の実施形態に係るソリッドステートディスク拡張装置１は、第一拡張ボード１００及び第二拡張ボード２００を備える。
【０００８】
第一拡張ボード１００は、略矩形のボード本体１０を備える。ボード本体１０には、第一コネクタ１１と、電源回路１２と、ＳＡＴＡ拡張コントローラ１３と、複数の第一制御チップ１４と、複数の第一記憶チップ１５と、第二コネクタ１６と、が設けられている。第一コネクタ１１はボード本体１０の一方側の短辺１７に沿って設けられ、第二コネクタ１６はボード本体１０の他方側の短辺１７に沿って設けられている。各第一制御チップ１４には、四つの第一記憶チップ１５が接続されている。第一コネクタ１１は、電源回路１２及びＳＡＴＡ拡張コントローラ１３に電気的に接続されている。また、第一コネクタ１１は、ケーブルを介してマザーボードに電気的に接続され、前記マザーボードから受信した電圧信号を電源回路１２に伝送し、且つ受信したＳＡＴＡ信号をＳＡＴＡ拡張コントローラ１３に伝送する。
【０００９】
ＳＡＴＡ拡張コントローラ１３は、第一コネクタ１１からのＳＡＴＡ信号を複数のＳＡＴＡ信号に拡張して、第一制御チップ１４に供給して、第一制御チップ１４によって第一記憶チップ１５を制御してデータをストレージさせる。また、ＳＡＴＡ拡張コントローラ１３は、第二コネクタ１６に同時に電気的に接続されている。
【００１０】
第二拡張ボード２００は、略矩形のボード本体２０を備える。ボード本体２０には、第三コネクタ２６と、第三コネクタ２６に電気的に接続される複数の第二制御チップ２４と、複数の第二記憶チップ２５と、を備える。各第二制御チップ２４には、四つの第二記憶チップ２５が接続されている。第三コネクタ２６は、ボード本体２０の一方側の短辺２７に沿って設けられ、且つケーブル３００を介して第一拡張ボード１００の第二コネクタ１６に電気的に接続される。
【００１１】
本発明のソリッドステートディスク拡張装置１を使用する場合、ケーブル３００を介して第一拡張ボード１００上の第二コネクタ１６を第二拡張ボード２００上の第三コネクタ２６に接続させる。また、ケーブル３００を介して第一拡張ボード１００上の第一コネクタ１１を前記マザーボード上の電源コネクタ及びＳＡＴＡコネクタ（図示せず）に接続させる。前記マザーボードが通電されて起動すると、前記マザーボードは電源コネクタ及び第一コネクタ１１を介して、第一拡張ボード１００上の電源回路１２に電圧を供給する。電源回路１２は、供給された電圧を変換した後、該電圧を第一制御チップ１４及び第一記憶チップ１５に提供し、且つ第二コネクタ１６、ケーブル３００及び第三コネクタ２６を介して第二制御チップ２４及び第二記憶チップ２５にそれぞれ供給する。これと同時に、前記マザーボードが出力したＳＡＴＡ信号は、当該マザーボード上のＳＡＴＡコネクタ及び第一コネクタ１１を介して第一拡張ボード１００上のＳＡＴＡ拡張コントローラ１３に提供される。次いで、ＳＡＴＡ拡張コントローラ１３は、前記マザーボードからのＳＡＴＡ信号を複数のＳＡＴＡ信号に拡張した後、第一制御チップ１４に直接に提供すると共に、第二コネクタ１６、ケーブル３００及び第三コネクタ２６を介して第二拡張ボード２００の第二制御チップ２４に提供する。第一制御チップ１４は、受信したＳＡＴＡ信号に基づいて、第一記憶チップ１５を制御してデータを記憶させる。同じように、第二制御チップ２４は、受信したＳＡＴＡ信号に基づいて、第二記憶チップ２５を制御してデータを記憶させる。
【００１２】
上記の実施形態から分かるように、本発明のソリッドステートディスク拡張装置１は、第一コネクタ１１を介してマザーボードから電圧及びＳＡＴＡ信号を受信する。ＳＡＴＡ拡張コントローラ１３は、マザーボードから受信したＳＡＴＡ信号を複数のＳＡＴＡ信号に拡張した後、それを複数の第一制御チップ１４及び複数の第二制御チップ２４に提供して、これらの第一制御チップ１４及び第二制御チップ２４により、対応する第一記憶チップ１５及び第二記憶チップ２５を制御してデータを記憶させることにより、記憶容量を拡張する。従って、本発明のソリッドステートディスク拡張装置１は、記憶容量を拡張する時に、多くの電源ポート及びＳＡＴＡコネクタを使用することがないので、ブレードサーバのシステム空間を占有せず、且つシステムの資源を節約することができる。
【符号の説明】
【００１３】
１  ソリッドステートディスク拡張装置
１０  ボード本体
１１  第一コネクタ
１２  電源回路
１３  ＳＡＴＡ拡張コントローラ
１４  第一制御チップ
１５  第一記憶チップ
１６  第二コネクタ
１７、２７  短辺
２０  ボード本体
２４  第二制御チップ
２５  第二記憶チップ
２６  第三コネクタ
１００  第一拡張ボード
２００  第二拡張ボード
３００  ケーブル
【図１】
2014127206.tif 000003